(57)【特許請求の範囲】
【請求項１】
絶縁部材からなる鍔部を有するツマミと、少なくとも二つ以上の固定接片を対向して側面に配設したケースと、該ケースを嵌合するケースカバーからなるスライドスイッチにおいて、前記各固定接片上部に折曲部および第一舌片を形成し、該折曲部と該第一舌片の間には弾性部材を配設するとともに該弾性部材に接触子を被せ、該接触子を前記折曲部および前記第一舌片で挟持し、前記各固定接片の前記接触子が対向して接触するように配設し、前記ツマミをスライドさせることにより該ツマミの鍔部が前記接触子間を開離することを特徴とするスライドスイッチ。
【請求項２】
前記接触子の先端に切割部を設けたことを特徴とする請求項１記載のスライドスイッチ。
【請求項３】
前記ツマミの鍔部側面に凸溝を設け、前記切割部と摺動することを特徴とする請求項２記載のスライドスイッチ。
【発明の詳細な説明】
【技術分野】
【０００１】
本発明は、ツマミをスライドさせ電路の切換を行うスライドスイッチに係り、ケースに配設した接点部の構造およびツマミの構造に特徴を持たせ、大電流を強制的に開離することができるスライドスイッチに関する。
【背景技術】
【０００２】
従来のスライドスイッチは図７に示すように合成樹脂製のウエハ１０１の底面に突堤１０３を一体成形し、この突堤１０３の一側面内に複数の固定接片１０２を露出させると共に、突堤１０３の他側面に複数のカム山１０３ａを形成する。前記ウエハ１０１に操作体１０５をスライド可能に組み込み、この操作体１０５に保持したクリップ状の可動接片１０６を前記突堤１０３の両側面を挾持するように挿入し、該可動接片１０６の一方の接点１０６ａを各固定接片側に、他方の接点１０６ａを各カム山１０３ａ側にそれぞれ弾接したクリップ式のスライドスイッチが一般的であった。
【特許文献１】特開平９−１７１７４４
【発明の開示】
【発明が解決しようとする課題】
【０００３】
しかしながら、上述したクリップ式のスライドスイッチは微小電流の開閉は行うことができたが、大電流を開閉することは可動接片の板厚の関係上困難であった。
そこで本発明のスライドスイッチは大電流を開閉することが出来る強制開離式のスライドスイッチを提供することを目的とする。
【課題を解決するための手段】
【０００４】
本発明は上記目的を達成するため、鍔部を有するツマミと、少なくとも二つ以上の固定接片を対向するように側面に配設したケースと、該ケースを上面より嵌合するケースカバーからなるスライドスイッチに係り、前記固定接片上部に折曲部および第一舌片を形成し、該折曲部と該第一舌片の間には弾性部材を配設するとともに該弾性部材に接触子を被せ、該接触子を前記折曲部および前記第一舌片で狭持し、前記ツマミをスライドさせることにより絶縁体である該ツマミの鍔部が前記接触子同士の導通を強制的に開離し、大電流を開閉することを可能とする。
【発明の効果】
【０００５】
（１）本発明のスライドスイッチは鍔部を有するツマミと固定接片を配設したケースと該ケースを嵌合するケースカバーからなり、前記固定接片上部に折曲部および第一舌片を形成し、該折曲部と該第一舌片の間には弾性部材を配設するとともに該弾性部材に接触子を被せ、該接触子を前記折曲部および前記第一舌片で狭持し、前記ツマミをスライドさせることにより絶縁体である該ツマミの鍔部が前記接触子同士の導通を強制的に開離するので、大電流を開閉可能なスライドスイッチを提供することができる。
（２）絶縁部材であるツマミ鍔部を接触子間に挿入する方式であるため、徐々に挿入してもアークが切れない等のトラブルが発生することがない。
（３）接触子に切割部を設けて二点接触構造としたため接触安定性が高い。例えば二点のうち片側一点に異物が挟まり接触不良となっても残りの一点で電気を導通させることが可能となる。
（４）接触子の切割部のみにツマミ鍔部側面に設けた凸溝がスライドする構造とし、該接触子先端に絶縁体であるツマミ鍔部が摺動しないので、該接触子先端に前記ツマミが溶着したり削れ紛が付着する等のトラブルがない。よって再度前記ツマミのスライドを戻しオン状態とする際に該接触子同士の接触不良を起こすことがない。
（５）ツマミ鍔部先端を滑らかに切削したので、接触子にかかる負担が少なく開閉耐久回数を延ばすことができる。
【発明を実施するための最良の形態】
【０００６】
本発明のスライドスイッチは鍔部を有するツマミと固定接片を配設したケースと該ケースを嵌合するケースカバーからなり、前記固定接片上部に折曲部および第一舌片を形成し、該折曲部と該第一舌片の間には弾性部材を配設するとともに該弾性部材に接触子を被せ、該接触子を前記折曲部および前記第一舌片で狭持し、ツマミ鍔部先端を丸く切削して該ツマミをスライドさせることにより、対向して配設された前記接触子の導通を強制的に開離することができる。これにより大電流を開閉可能なスライドスイッチを提供することができる。
また、前記接触子は先端に切割部を設けて二点接触構造としたため、片側一点に異物が挟まっても、残りの一点で該接触子同士を導通させることができ接触安定性が高い。
また、前記ツマミをスライドさせ該ツマミの鍔部が前記接触子同士の導通を強制的に開離することからアークの消弧を確実に行うことができる。
【実施例１】
【０００７】
以下、本発明の実施例について、図面を参照しながら詳細に説明する。
【０００８】
図１は本発明のスライドスイッチの分解斜視図、図２は本発明のスライドスイッチを接触子同士の接触面で切断した横断面図である。これらの図において、内部中央に仕切り板６ａが設けられたケース６底面に固定接片３配設用の孔（図示なし）が設けられ、該孔には上方より固定接片３が貫入され、段部３ｂまで貫入されると第二舌片３ｃが前記ケース６内側に倒される。よって該段部３ｂおよび該第二舌片３ｃにより完全に前記ケース６に固定される構造となっている。
【０００９】
前記固定接片３上部に設けた第一舌片３ａはケース６内側に折曲され上方に弾性部材４が配設される。該弾性部材４はピアノ線に銀メッキを施すなど弾性がありかつ導電性が良い組み合わせとする。さらに導電性で先端に切割部５ａを有し、上面及び下面が平坦となった接触子５が、該接触子５の丸穴５ｂを通して前記弾性部材４に配設される。そして、該接触子５の下面の凹部５ｃが前記第一舌片３ａに嵌め込まれ、かつ前記固定接片３の折曲部３ｄと第一舌片３ａとの間に挟まれるように配設される。
このように接点部を構成し、前記弾性部材４の弾性力により対向した接触子５同士が常に二点で接触し、電路が閉じたオンの状態となっている。
【００１０】
次に、上記の状態のまま鍔部１ａを有したツマミ１の溝部１ｂを前記ケース６の仕切り板６ａの上に配設し、前記ツマミ１がスライドできるようにする。なお該仕切り板６ａにはグリスが塗布してあり前記ツマミ１がスムーズにスライドでき、スライド時の削れ粉も発生しにくくしている。
この状態のまま上方よりケースカバー２を被せ、該ケースカバー２側面の貫通孔２ｂと前記ケース６外側面の凸部６ｂが嵌合され、本発明のスライドスイッチが完成する。
【００１１】
上記のように完成したスライドスイッチのツマミ１をスライドしても前記接触子５下面の凹部５ｃが前記第一舌片３ａに嵌め込まれているため、対向する接触子５はスライド方向に曲がることなく常に先端の二点が接触することが可能となる。また、該接触子５は上面及び下面が平坦となって前記第一舌片３ａと折曲部３ｄとの間に狭持されているため、前記ツマミ１スライド時に該接触子５が回転して接触不良等を起こすことがない。
【００１２】
この完成したスライドスイッチのオン状態の平面図が図３、オン状態の縦断面図が図４、オフ状態の平面図が図５、オフ状態の縦断面図が図６である。図３、図４に示すように、ツマミ１をスライドさせる前は対向して配設された接触子５同士が接触しているいわゆるオンの状態であるが、この状態から前記ツマミ１をスライドさせると図５、図６に示すように該ツマミ鍔部１ａ先端の切削部１ｃが徐々に前記接触子５の導通を開離していき、その後ツマミ鍔部１ａ側面の凸溝１ｄが前記接触子切割部５ａをスライドしていき前記接触子５が完全に開離されオフとなる。この時、前記接触子切割部５ａのみに前記ツマミ１の凸溝１ｄが接触するようにし、接触子５先端は前記ツマミ鍔部１ａに接触しないようにしたため、前記ツマミ１スライド時に該ツマミ１の削れ粉が前記接触子５先端に溶着することがなく、前記ツマミ１のスライドを元に戻し接触子５同士が接触し再びオンとなった際に接触不良を起こすことがない。また、ツマミ鍔部１ａ先端は滑らかに切削されているので、接触子５にかかる負担が少なく開閉耐久回数を延ばすことができる。
【００１３】
本発明のスライドスイッチは上記の実施例以外にも本発明の趣旨に基づいて種々の変形が可能である。これらを本発明の方法の範囲から排除するものではない。
【産業上の利用可能性】
【００１４】
本発明は、対向して配設された接触子間に絶縁体であるツマミ鍔部を挿入する構造を採用し、大電流をスライドスイッチにより開閉する場合に好適である。
【図面の簡単な説明】
【００１５】
【図１】本発明のスライドスイッチの分解斜視図である。
【図２】本発明のスライドスイッチの横断面図である。
【図３】本発明のスライドスイッチのオン状態の平面図である。
【図４】本発明のスライドスイッチのオン状態の縦断面図である。
【図５】本発明のスライドスイッチのオフ状態の平面図である。
【図６】本発明のスライドスイッチのオフ状態の縦断面図である。
【図７】従来のクリップ方式のスライドスイッチの縦断面図である。
【符号の説明】
【００１６】
１  ツマミ
１ａ  鍔部
１ｂ  溝部
１ｃ  切削部
１ｄ  凸溝
２  ケースカバー
２ａ  孔
２ｂ  貫通孔
３  固定接片
３ａ  第一舌片
３ｂ  段部
３ｃ  第二舌片
３ｄ  折曲部
４  弾性部材
５  接触子
５ａ  切割部
５ｂ  丸穴
５ｃ  凹部
６  ケース
６ａ  仕切り板
６ｂ  凸部
【図１】
0004577903.tif 000002
【図２】
0004577903.tif 000003
【図３】
0004577903.tif 000004
【図４】
0004577903.tif 000005
【図５】
0004577903.tif 000006
【図６】
0004577903.tif 000007
【図７】
0004577903.tif 000008